(57)【要約】【課題】容器本体へ加圧ガスを容易に且つ確実に充填でき、充填後の加圧ガスの漏れを防止することができる蓄圧式消火器を得る。【解決手段】消火薬剤流路８が形成されたバルブケース３に消火薬剤流路８を開閉する弁機構９が備えられた蓄圧式消火器において、弁機構９は、ケーシング１０内に設けられ回動してケーシング１０内の流路１１を開閉するボール弁体１３と、ケーシング１０とボール弁体１３との間をシールする一対のボールシート１４と、ボール弁体１３を回動させる操作部１５を備えたボール弁装置１６からなり、バルブケース３を、消火薬剤流路８の途中で上側バルブケース部３ａと下側バルブケース部３ｂとに２分割し、上側バルブケース部３ａと下側バルブケース部３ｂの間に、ボール弁装置１６を介在させ、上側バルブケース部３ａと下側バルブケース部３ｂの消火薬剤流路８の開口部とケーシング１０の流路１１の開口部とを接続した。【選択図】図１
0003216543.tif 000002
【実用新案登録請求の範囲】
【請求項１】
消火薬剤流路が形成されたバルブケースに前記消火薬剤流路を開閉する弁機構が備えられた蓄圧式消火器において、
前記弁機構は、ケーシング内に設けられ回動して前記ケーシング内の流路を開閉する貫通孔を有するボール弁体と、前記ケーシングと前記ボール弁体との間をシールする環状に形成された一対のボールシートと、前記ボール弁体を回動させる操作部を備えたボール弁装置とからなり、前記バルブケースを、前記消火薬剤流路の途中で上側バルブケース部と下側バルブケース部とに２分割し、前記上側バルブケース部と前記下側バルブケース部の間に、前記ボール弁装置を介在させ、前記上側バルブケース部と前記下側バルブケース部の前記消火薬剤流路の開口部と前記ボール弁装置の前記ケーシングの前記流路の開口部とを接続したことを特徴とする蓄圧式消火器。
【考案の詳細な説明】
【技術分野】
【０００１】
本考案は、容器本体内へ加圧ガスを漏れの無い状態に容易に且つ確実に充填することができる蓄圧式消火器に関するものである。
【背景技術】
【０００２】
消火薬剤と加圧ガスが充填される容器本体の口部に取り付けられるバルブケースに、一端を容器本体内に開口し、サイフォン管を取り付けるサイフォン管取付部とし、他端を前記容器本体外に開口し、消火薬剤放出ホースを取り付けるホース取付部とした消火薬剤流路が形成され、消火薬剤流路内には、消火薬剤流路内面に形成された弁座部と、消火薬剤流路内を上下に移動自在に装着された弁杆の先端に設けられ、弁杆の上下動により弁座部に接離する弁体部で構成される弁機構が組み込まれ、バルブケースに備えた操作レバーによる弁機構の操作により消火薬剤流路が開閉する蓄圧式消火器が広く使用されている（例えば、特許文献１参照。）。
【０００３】
蓄圧式消火器は、消火薬剤の補充、詰め替えや、加圧ガスの点検で、加圧ガスの再充填といったことが行われている。蓄圧式消火器における加圧ガスの再充填は、バルブケースのホース取付部から消火薬剤放出ホースを取り外し、開口したホース取付部に加圧ガスボンベの加圧ガスホースを取り付け、加圧ガスボンベを開き、操作レバーを操作して弁座部から弁体部を離反させて消火薬剤流路を開き、容器本体内へ加圧ガスを充填している。
【先行技術文献】
【特許文献】
【０００４】
【特許文献１】特開平９−２７６４３０号公報
【考案の概要】
【考案が解決しようとする課題】
【０００５】
上記のようにして行われる蓄圧式消火器における容器本体内への加圧ガスの充填では、操作レバーを操作して消火薬剤流路を開いたとき、容器本体内に入ったガスが容器本体内の消火薬剤を飛散させると同時に、一瞬逆流して消火薬剤流路内へ流れ、この逆流した加圧ガスに乗って飛散した消火薬剤も消火薬剤流路内へ入り込み、消火薬剤流路を開閉する弁座部や弁体部の表面に付着してしまう場合がある。このような状態で、加圧ガスの充填後、弁座部に弁体部を当接させ、消火薬剤流路を閉じたとき、弁座部と弁体部の間に消火薬剤が介在してシール性を損ね、加圧ガスが漏れるおそれがある。
【０００６】
このような事態を回避するため、従来は、加圧ガスの充填に際し、開弁操作開始時は、弁体部の下降を僅かにして消火薬剤流路の径を細くし、加圧ガスの流入量を抑えることにより、加圧ガス流入直後の逆流を防止している。しかし、このような弁体部の操作は作業者の感覚や経験に基づいてなされており、作業者に高度な熟練を要し、また、ミスの発生を確実に防げるものとはなっていないといった問題があった。
【０００７】
本考案の目的は、容器本体へ加圧ガスを容易に且つ確実に充填でき、充填後の加圧ガスの漏れを防止することができる蓄圧式消火器を提供することにある。
【課題を解決するための手段】
【０００８】
上記の目的を達成するために、請求項１に記載の考案は、消火薬剤流路が形成されたバルブケースに前記消火薬剤流路を開閉する弁機構が備えられた蓄圧式消火器において、前記弁機構は、ケーシング内に設けられ回動して前記ケーシング内の流路を開閉する貫通孔を有するボール弁体と、前記ケーシングと前記ボール弁体との間をシールする環状に形成された一対のボールシートと、前記ボール弁体を回動させる操作部を備えたボール弁装置とからなり、前記バルブケースを、前記消火薬剤流路の途中で上側バルブケース部と下側バルブケース部とに２分割し、前記上側バルブケース部と前記下側バルブケース部の間に、前記ボール弁装置を介在させ、前記上側バルブケース部と前記下側バルブケース部の前記消火薬剤流路の開口部と前記ボール弁装置の前記ケーシングの前記流路の開口部とを接続したことを特徴とする。
【考案の効果】
【０００９】
本考案に係る蓄圧式消火器によれば、前記容器本体内への加圧ガス充填時に、前記ボール弁装置の前記操作部を操作して前記ボール弁体を回動させ、前記ボール弁体の前記貫通孔と前記ケーシング内の前記流路を連通させることにより、前記バルブケースの前記消火薬剤流路が開き、加圧ガスが前記ホース取付部から前記消火薬剤流路を通って容器本体内へ流入する。
【００１０】
このとき、容器本体内で加圧ガスの逆流が生じ、逆流した加圧ガスに乗って飛散した消火薬剤が前記ケーシングの前記流路内で露出している前記ボール弁体のシール面に付着した場合、容器本体内への加圧ガス充填終了時に、前記バルブケースの前記消火薬剤流路を閉じるために、前記ボール弁装置の前記操作部を操作して前記ボール弁体を閉方向へ回動させたとき、前記ボール弁体のシール面に摺接している前記ボールシートの端部が前記ボール弁体のシール面に付着している消火薬剤が掻き落とされ、消火薬剤が前記ボール弁体のシール面と、シール面に摺接している前記ボールシートとの間に入らないので、前記ボール弁体のシール面と前記ボールシートとの間に完全なシール性が得られ、充填した加圧ガスが漏れるおそれはない。
【００１１】
また、従来のような、加圧ガス充填時に、加圧ガス流入直後の逆流を防止するための微妙な開弁操作の必要がなく、経験の無い作業者であっても容易に且つ確実に充填作業を行うことができる。
【図面の簡単な説明】
【００１２】
【図１】本考案に係る蓄圧式消火器の実施の形態の一例を示す要部縦断正面図である。
【考案を実施するための形態】
【００１３】
以下、本考案に係る蓄圧式消火器を実施するための形態を、図１を参照して詳細に説明する。図１は本考案に係る蓄圧式消火器の実施の形態の一例を示す要部縦断正面図である。
【００１４】
本例の蓄圧式消火器は、消火薬剤と加圧用ガスが充填される容器本体１の口部２にバルブケース３がユニオン方式のキャップ４で締め付け固定されている。口部２とバルブケース３の間はシールリング５でシールされている。
【００１５】
バルブケース３には、一端を容器本体１内に開口しサイフォン管（図示せず）を取り付けるサイフォン管取付部６とし、他端を容器本体１外に開口し消火薬剤放出ホースを取り付けるホース取付部７とした消火薬剤流路８が形成されている。消火薬剤流路８の他端側で容器本体１外に開口するホース取付部７はバルブケース３の上方側壁に設けられている。バルブケース３には、消火薬剤流路８を開閉する弁機構９が組み付けられている。
【００１６】
本例の弁機構９は、ケーシング１０内に設けられ回動してケーシング１０内の流路１１を開閉する貫通孔１２を有するボール弁体１３と、ケーシング１０とボール弁体１３との間をシールする環状に形成された一対のボールシート１４と、ボール弁体１３を回動させる操作部１５を備えたボール弁装置１６からなっている。操作部１５はボール弁体に回転を伝達するステム１７とステム１７を回転させるレバー１８とで構成される。
【００１７】
このような構成のボール弁装置１６は公知であり、本考案にあって特に限定されるものではない。
【００１８】
弁機構９となるボール弁装置１６は、本例では次のようにしてバルブケース３に組み付けられている。
【００１９】
本例のバルブケース３は、消火薬剤流路８の途中で上側バルブケース部３ａと下側バルブケース部３ｂとに２分割されている。上側バルブケース部３ａ及び下側バルブケース部３ｂの分割面側には、内部が消火薬剤流路８となる筒状の雄ねじ部１９，２０がそれぞれ形成されている。
【００２０】
ボール弁装置１６にあっては、ケーシング１０の両側の開口部に、外周にユニオンナット２１，２２を備えた筒状のアダプター２３，２４が螺着されている。
【００２１】
そして、ケーシング１０の一方の開口部に螺着したアダプター２３と上側バルブケース部３ａの雄ねじ部１９の開口端部同士を突き合わせてユニオンナット２１を雄ねじ部１９に螺合して締め付け、そして、ケーシング１０の他方の開口部に螺着したアダプター２４と下側バルブケース部３ｂの雄ねじ部２０の開口端部同士を突き合わせてユニオンナット２２を雄ねじ部２０に螺合して締め付けることにより、ボール弁装置１６をバルブケース３に組み付けている。
【００２２】
アダプター２３の開口端部と上側バルブケース部３ａの雄ねじ部１９の開口端部との間及びアダプター２４の開口端部と下側バルブケース部３ｂの雄ねじ部２０の開口端部との間にはパッキン２５が介装されている。
【００２３】
このように構成された本例の蓄圧式消火器における容器本体１内への加圧ガスの充填は、以下のようにして行われる。
【００２４】
先ず、バルブケース３のホース取付部７から消火薬剤放出ホースを取り外し、開口したホース取付部７に加圧ガスボンベの加圧ガスホース２６を取り付け、加圧ガスボンベを開き、加圧ガスホース２６内を加圧する。
【００２５】
この状態から、ボール弁装置１６の操作部１５を構成するレバー１８を操作してボール弁体１３を回動させ、ボール弁体１３の貫通孔１２とケーシング１０内の流路１１を連通させる。
【００２６】
これにより、バルブケース３の消火薬剤流路８が開き、加圧ガスがホース取付部７から消火薬剤流路８を通って容器本体１内へ流入する。
【００２７】
加圧ガスの流入により容器本体１内の圧力が規定値に達したことをバルブケース３に取り付けてある圧力計（図示せず）により確認したら、レバー１８を操作してボール弁体１３を回動させ、ボール弁体１３の貫通孔１２とケーシング１０内の流路１１を遮断させ、バルブケース３の消火薬剤流路８を閉じる。この後、高圧ガスボンベを閉じ、ホース取付部７から加圧ガスホース２６を取り外して、加圧ガスの充填が終了する。
【００２８】
バルブケース３の消火薬剤流路８が開かれ、加圧ガスが容器本体１内へ流入したとき、容器本体１内で加圧ガスの逆流が生じ、逆流した加圧ガスに乗って飛散した消火薬剤がケーシング１０の流路１１内で露出しているボール弁体１３のシール面１３ａに付着した場合、容器本体１内への加圧ガス充填終了時に、バルブケース３の消火薬剤流路８を閉じるために、ボール弁装置１６の操作部１５を操作してボール弁体１３を閉方向へ回動させたとき、ボール弁体１３のシール面１３ａに摺接しているボールシート１４の端部がボール弁体１３のシール面１３ａに付着している消火薬剤を掻き落とすことになり、消火薬剤がボール弁体１３のシール面１３ａと、シール面１３ａに摺接しているボールシート１４との間に入らないので、ボール弁体１３のシール面１３ａとボールシート１４の完全なシール性が得られ、充填した加圧ガスが漏れるおそれはない。
【符号の説明】
【００２９】
１  容器本体
２  口部
３  バルブケース
３ａ  上側バルブケース部
３ｂ  下側バルブケース部
４  キャップ
５  シールリング
６  サイフォン管取付部
７  ホース取付部
８  消火薬剤流路
９  弁機構
１０  ケーシング
１１  流路
１２  貫通孔
１３  ボール弁体
１３ａ  シール面
１４  ボールシート
１５  操作部
１６  ボール弁装置
１７  ステム
１８  レバー
１９，２０  雄ねじ部
２１，２２  ユニオンナット
２３，２４    アダプター
２５    パッキン
２６    加圧ガスホース
【図１】
0003216543.tif 000003